(57)【特許請求の範囲】
【請求項１】
所定の基準に従って分類された画像群と、この画像群が撮影された時間又は上記画像群の撮影場所に関する位置情報を記憶する画像情報記憶部と、
上記画像群に関連する付加情報を記憶する付加情報記憶部と、
上記画像群が撮影された上記時間又は上記画像群が撮影された上記撮影場所に関する位置情報にしたがって、上記画像群に上記付加情報を付加して再生するか否かを判定する判定部と、
上記判定部の判定結果にしたがって、上記画像群、又は上記付加情報を付加した画像群を再生する画像群再生部と、
を備え、
上記付加情報記憶部は、上記画像群の取得時又は再生時に、上記付加情報を外部のデータベースより取得し、
上記判定部は、上記画像群が撮影された上記時間と上記画像群を再生する時間との時間差、又は上記画像群が撮影された上記撮影場所に関する上記位置情報と上記画像群を再生する再生場所に関する位置情報との差が所定の基準値以上のとき、上記画像群に上記付加情報を付加して再生するものと判定し、
上記画像群再生部は、上記差が所定の基準値以上のとき、上記撮影場所に関する情報を表示する、
ことを特徴とする画像群再生装置。
【請求項２】
上記画像群のテーマを判定するテーマ判定部を有し、上記判定部は、上記テーマ判定部によって判定された上記テーマに応じて上記付加情報を変えることを特徴とする請求項１に記載の画像群再生装置。
【請求項３】
上記画像群の上記撮影時間と上記撮影場所の情報との関係で、上記画像群を示す表示制御部を有し、上記判定部は、上記表示制御部によって表示された画像群の中から選択された画像群について上記付加情報を付加して再生するか否かの判定を行うことを特徴とする請求項１に記載の画像群再生装置。
【請求項４】
所定の基準に従って分類された画像群が撮影された時間、又は上記画像群が撮影された撮影場所に関する位置情報にしたがって、上記画像群に関連する付加情報を付加して再生するか否かを判定するステップと、
上記判定結果にしたがって、上記画像群又は上記付加情報を付加した画像群を再生するステップと、
を備えたことを特徴とする画像群再生方法。
【請求項５】
所定の基準に従って分類された画像群が撮影された時間、又は上記画像群が撮影された撮影場所に関する位置情報にしたがって、上記画像群に関連する付加情報を付加して再生するか否かを判定するステップと、
上記判定結果にしたがって、上記画像群又は上記付加情報を付加した画像群を再生するステップと、
をコンピュータに実行させる画像群再生用プログラム。
【請求項６】
画像群の撮影時における撮影情報を、撮影画像と共に記憶する撮影時画像情報記憶部と、
上記画像群に関連する付加情報を記憶する付加情報記憶部と、
上記画像群の再生時における状況に基づく再生情報を取得する再生時状況取得部と、
上記画像群の再生時に、上記撮影時画像情報記憶部から読み出された上記撮影時における上記撮影情報と、上記再生時状況取得部によって取得された上記再生時における上記再生情報とを比較し、上記撮影情報と上記再生情報の差異に基づいて、上記画像群に上記付加情報を付加して再生するか否かを判定する再生時状況判定部と、
上記再生時状況判定部の判定結果にしたがって、上記画像群、又は上記付加情報を付加した画像群を再生する画像群再生部と、
を備えたことを特徴とする画像群再生装置。
【発明の詳細な説明】
【技術分野】
【０００１】
本発明は、画像群再生装置および画像群再生方法に関し、詳しくは、例えばスライドショーのように、撮影された複数の写真画像を再生する画像群再生装置、画像群再生方法、および画像群再生用プログラムに関する。
【背景技術】
【０００２】
近年、写真画像がデジタル化され、従来のように、単にプリントをアルバムに貼付して鑑賞するだけではなく、テレビ（ＴＶ）やパーソナルコンピュータ（ＰＣ）等によって画像を再生して鑑賞することも行われている。また、カメラの背面部等に設けられた液晶表示部に画像を再生表示したり、携帯電話の表示部に表示して楽しむ人も増えてきている。
【０００３】
しかし、単に撮影画像を見るだけでは、状況によっては単調な感じがすることから、画像に背景音楽（ＢＧＭ）をつけたり、また、表示切替時の遷移効果に工夫を凝らすことが提案されている。
【０００４】
例えば、特許文献１には、写真画像に付随するタグ情報に基づいて周辺情報を、インターネットを通じて取得し、この取得した周辺情報を写真画像と共にスライドショーを行うことのできるコンテンツ作成装置が開示されている。
【特許文献１】特開２００７−１０４３２６号公報
【０００５】
また、特許文献２には、スライドショーの表示時間や画像のイメージに基づいて音楽を選択し、この選択された音楽を流しながらスライドショーを行うことのできるデータ選択プログラムが開示されている。さらに、特許文献３には、撮影日付をキーにして、その撮影当時に流行していた曲を外部サーバーで検索し、この曲を流しながら撮影画像をスライドショーする情報再生装置が開示されている。
【特許文献２】特開２００７−１１０６５９号公報
【特許文献３】特開２００６−１６４２２９号公報
【発明の開示】
【発明が解決しようとする課題】
【０００６】
このように、複数の写真画像を再生するにあたって、音楽や周辺情報のコンテンツを検索し、これらを再生する提案は種々行われている。しかし、再生状況によっては、これらのコンテンツの再生が煩わしく感ずる場合がある。例えば、撮影してから日が浅い場合に、撮影画像と共に、鑑賞者が良く知っている場所の情報などをやみくもに表示すると却って煩わしく感じするだけである。一方、随分以前に撮影した写真画像の場合には、この写真画像と共に当時を思い出したり、また撮影状況を説明するような周辺情報があれば写真鑑賞が一層楽しいものとなる。
【０００７】
前述の特許文献１〜３はいずれも再生状況を考慮することなく、一律に音楽や周辺情報等のコンテンツと共に、複数の写真画像の再生を行っている。このため、不必要なコンテンツが表示され、興味が損なわれてしまう場合があった。
【０００８】
本発明は、このような事情を鑑みてなされたものであり、再生状況を考慮して複数の画像を再生する場合のコンテンツの切換を行うようにした画像群再生装置、画像群再生方法、および画像郡再生用プログラムを提供することを目的とする。
【課題を解決するための手段】
【０００９】
上記目的を達成するため第１の発明に係わる画像群再生装置は、所定の基準に従って分類された画像群と、この画像群が撮影された時間又は上記画像群の撮影場所に関する位置情報を記憶する画像情報記憶部と、上記画像群に関連する付加情報を記憶する付加情報記憶部と、上記画像群が撮影された上記時間又は上記画像群が撮影された上記撮影場所に関する位置情報にしたがって、上記画像群に上記付加情報を付加して再生するか否かを判定する判定部と、上記判定部の判定結果にしたがって、上記画像群、又は上記付加情報を付加した画像群を再生する画像群再生部と、を備え、上記付加情報記憶部は、上記画像群の取得時又は再生時に、上記付加情報を外部のデータベースより取得し、上記判定部は、上記画像群が撮影された上記時間と上記画像群を再生する時間との時間差、又は上記画像群が撮影された上記撮影場所に関する上記位置情報と上記画像群を再生する再生場所に関する位置情報との差が所定の基準値以上のとき、上記画像群に上記付加情報を付加して再生するものと判定し、上記画像群再生部は、上記差が所定の基準値以上のとき、上記撮影場所に関する情報を表示する。
【００１０】
第２の発明に係わる画像群再生装置は、上記第１の発明において、上記画像群のテーマを判定するテーマ判定部を有し、上記判定部は、上記テーマ判定部によって判定された上記テーマに応じて上記付加情報を変える。
【００１１】
第３の発明に係わる画像群再生装置は、上記第１の発明において、上記画像群の上記撮影時間と上記撮影場所の情報との関係で、上記画像群を示す表示制御部を有し、上記判定部は、上記表示制御部によって表示された画像群の中から選択された画像群について上記付加情報を付加して再生するか否かの判定を行う。
【００１２】
第４の発明に係わる画像群再生方法は、所定の基準に従って分類された画像群が撮影された時間、又は上記画像群が撮影された撮影場所に関する位置情報にしたがって、上記画像群に関連する付加情報を付加して再生するか否かを判定するステップと、上記判定結果にしたがって、上記画像群又は上記付加情報を付加した画像群を再生するステップと、を備える。
【００１３】
第５の発明に係わる画像群再生用プログラムは、所定の基準に従って分類された画像群が撮影された時間、又は上記画像群が撮影された撮影場所に関する位置情報にしたがって、上記画像群に関連する付加情報を付加して再生するか否かを判定するステップと、上記判定結果にしたがって、上記画像群又は上記付加情報を付加した画像群を再生するステップと、をコンピュータに実行させる。
【００１４】
第６の発明に係わる画像群再生装置は、画像群の撮影時における撮影情報を、撮影画像と共に記憶する撮影時画像情報記憶部と、上記画像群に関連する付加情報を記憶する付加情報記憶部と、上記画像群の再生時における状況に基づく再生情報を取得する再生時状況取得部と、上記画像群の再生時に、上記撮影時画像情報記憶部から読み出された上記撮影時における上記撮影情報と、上記再生時状況取得部によって取得された上記再生時における上記再生情報とを比較し、上記撮影情報と上記再生情報の差異に基づいて、上記画像群に上記付加情報を付加して再生するか否かを判定する再生時状況判定部と、上記再生時状況判定部の判定結果にしたがって、上記画像群、又は上記付加情報を付加した画像群を再生する画像群再生部と、を備える。
【発明の効果】
【００１５】
本発明によれば、再生状況を考慮して複数の画像を再生する場合のコンテンツの切換を行うようにした画像群再生装置、画像群再生方法、および画像群再生用プログラムを提供することができる。
【発明を実施するための最良の形態】
【００１６】
以下、図面に従って本発明を適用したデジタルカメラを用いて好ましい実施形態について説明する。本実施形態におけるデジタルカメラは、レリーズ釦の操作に応じて静止画の画像データを取得し、これを記録媒体に記録する。画像データの記録にあたって、撮影日時や撮影位置を記録媒体に付随情報として併せて記録する。この記録された静止画の再生にあたっては、再生時の状況、例えば、撮影日時からどの位経過してからの再生か、また、撮影位置から離れた位置で再生しているか等に応じて、記録画像と共に表示するコンテンツ（付加情報）を選択するようにしたスライドショーを実行することが可能である。
【００１７】
図１は本発明の第１実施形態に係わるカメラの構成を示すブロック図であり、カメラ１０は被写体を撮影し、画像を取得するデジタルカメラである。カメラ１０は、制御部１、撮影部２、顔判定部２ａ、画像記録部３、データベース（ＤＢ）部４、画像分類部５、スライドショー部６、時計部７ａ、ＧＰＳ部７ｂ、表示部８、通信部９を有している。
【００１８】
制御部１は、ＣＰＵ（Central Processing Unit）等によって構成され、このカメラ１０の各部と接続され、全体制御を行う。撮影部２は、被写体像を結像するための光学系、被写体像を光電変換する撮像素子、撮像素子から出力される画像信号を処理する画像処理部等を含み、画像データを出力する。
【００１９】
顔判定部２ａは、撮影部２から出力される画像信号を入力し、この画像信号に基づいて画面内に人物の顔の部分があるか否かを判定し、判定結果を画像記録部３出力する。また、顔判定部２ａによって判定された顔の位置に対して、適正露出や合焦するように制御部１によって制御される。
【００２０】
画像記録部３は、撮影部２から出力される画像信号に基づいて静止画の画像データを記録する。表示部８は、画像記録部３に記録された画像データに基づいて画像を表示する。スライドショー部６は、画像記録部３に記録されている複数の画像データを連続的に表示部８に再生表示を行わせる。なお、スライドショーにあたっては、後述するように、記録画像と一緒に表示するコンテンツは、再生状況に応じて変更される。
【００２１】
画像分類部５は、画像記録部３に記録されている画像を、旅行、学校行事等の撮影シーンに分類する。このシーン分類のやり方は種々あるが、本実施形態においては、例えば、図１（ｂ）に示すようなやり方で分類している。すなわち、一日を６分割し、写真撮影が集中している時間帯があれば、そこに何らかのイベントがあったと判定する。そして、顔判定部２ａの判定結果を用いて、人物を含む画像が多いか否かによって分類する。また、撮影時間も判定に用いる。
【００２２】
これらの判定基準を用いて、休日の午前中に人物撮影が多い場合には、運動会と判定し、夕方に集中して人物撮影が多い場合には、パーティと判定し、日をまたいでコンスタントに人物や風景の撮影がなされている場合には旅行と判定する。この画像分類部５によって分類されたテーマ（シーン）に関する情報は、画像データと共に画像記録部３に記録される。
【００２３】
時計部７ａは、時計機能を有しており、時計部７ａによって取得された撮影日時(撮影時間とも称す)情報は、画像データと共に画像記録部３に記録される。また、ＧＰＳ（Global Positioning System）部７ｂは、全地球測位システムあり、撮影位置や再生位置の測定が可能である。このＧＰＳ部７ｂによって取得された撮影位置情報は、画像データと共に画像記録部３に記録される。
【００２４】
通信部９は、ネットワークを介して外部データベースを有するサーバーと通信を行う。通信は、無線通信や赤外通信等によってネットワークに接続する。なお、赤外通信ではネットワークに直接接続することができないので、携帯電話やＰＣ等の外部機器を介して通信する。データベース部４は、通信部９を介して取得したコンテンツを記録する。ここで記憶するコンテンツとしては、例えば、旅行の写真の画像データと共に記録する場合には、その訪問した土地の地図等であり、画像データに相応しいコンテンツを記憶する。
【００２５】
次に、本実施形態における撮影画像の再生表示について、図２を用いて説明する。図２（ａ）は、撮影者２１が旅行した際に撮影した複数の画像からなる画像群３１である。この画像群３１を、撮影から未だ日がたっていない時点で、図２（ｂ）に示すように、自ら鑑賞したり、また友人２２に見せる場合には、感動が新鮮であることから、撮影してきた写真だけを見せれば充分である。
【００２６】
しかし、撮影から１０年も経過した時点で、撮影当時のことやその撮影場所も知らない友人２３に見せる場合には(図２（ｃ）参照)、図２（ｄ）に示すような、撮影した場所が分かるような地図３３ａや、当時の商品広告３３ｂ（図では、ミュージックテープのパッケージ）等のコンテンツ３３を併せて表示すると、その場所、当時のことを良く知らない人には珍しかったり、さらなる情報が加わり、興味深いものに見える。
【００２７】
ここで表示するコンテンツ３３は、撮影者２１が撮影したものである必要はなく、撮影画像に関連する情報であれば重宝される。また、地図などが表示され、国名も表示させれば、いちいち説明しなくとも、どこに行ったかを理解できるし、当時の商品のイメージやニュース記事などを見せれば、いろいろなことを想起して楽しむことができる。
【００２８】
また、コンテンツ３３を表示することは、撮影者２１にとっても、時間的に隔たったことであれば、忘れていたことを思い出すことができ、また遠く離れた場所の写真であれば、めったに訪れることもないので、情報も少なく、それを補ってくれる情報があると重宝する。さらに、撮影画像が、旅行の画像であったり、結婚式の画像であったり、いろいろとテーマ分類されていれば、そのテーマに相応しい画像を、撮影画像以外の再生画像として利用し、さらに最適な情報を提供することも可能となる。
【００２９】
このような撮影画像以外の補助画像(コンテンツ３３)は、スライドショー形式で再生するときに、最後に表示したり、撮影と撮影の間があいた時に表示したり、あるいは、先頭に表示することによって、再生時に表示が単調になるのを防止することができる。
【００３０】
本実施形態においては、分かりやすくするため、スライドショーとして説明しているが、もちろん、画像を合成したり、スーパーインポーズして利用してもよい。特に、コンテンツ３３が、テキスト情報の場合には、字幕のような感じで流れるような表示にしてもよい。また、補助画像のみならず、音楽等のコンテンツを取得する際にも応用でき、これはＢＧＭとして使ったり、タイトル等のみを利用して表示するようにしてもよい。
【００３１】
次に、図３に示すフローチャートを用いて、カメラ１０の動作について説明する。カメラ制御のフローに入ると、まず、カメラ１０が撮影モードに設定されているか否かの判定を行う（Ｓ１）。このカメラ１０は、撮影モードや再生モードが撮影者によって設定可能である。ステップＳ１における判定の結果、撮影モードが選択されていた場合には、レリーズか否かの判定を行う（Ｓ２）。このレリーズか否かの判定は、レリーズ釦が全押し操作されたか否かを検出することによって行う。
【００３２】
ステップＳ２における判定の結果、レリーズでなかった場合には、ステップＳ１に戻る。一方、判定の結果、レリーズであった場合には、撮像動作を行う（Ｓ３）。撮影動作は、撮影部２において、被写体像の静止画の画像データを取得し、この画像データを画像記録部３に記録する。また画像データの記録にあたって、時計部７ａで取得した撮影日時情報、およびＧＰＳ部７ｂで取得した撮影位置情報も併せて記録する（Ｓ５）。撮影動作が終わるとリターンし、ステップＳ１から実行する。
【００３３】
ステップＳ１における判定の結果、撮影モードが選択されていなかった場合には、再生モードが選択され再生開始を行うか否かの判定を行う（Ｓ１１）。この判定の結果、再生開始でなかった場合には、次に、画像に未分類が有るか否かの判定を行う（Ｓ２０）。この判定は、画像記録部３に記録されている画像の全てが、画像分類部５によって、旅行、学校行事、パーティ等のテーマ（シーン）に分類されたか否かの判定である。
【００３４】
ステップＳ２０における判定の結果、未分類画像がなかった場合には、ステップＳ１に戻る。一方、判定の結果、未分類画像があった場合には、図１（ｂ）で説明したような画像分類を行う。まず、１日を６分割し画像を整理する（Ｓ２１）。このステップでは、画像データに貼付されている撮影日時情報に基づいて、画像がいずれの時間帯に属するかについて整理する。
【００３５】
ステップＳ２１の画像整理を行うと、次に、撮影日時が所定時間に集中しているか否かの判定を行う（Ｓ２２）。この判定の結果、集中していた場合には、次に、顔判定部２ａの判定結果に基づいて顔アップが多いか否かの判定を行う（Ｓ２３）。この判定の結果、顔アップが多ければパーティと判定され（Ｓ２５）、一方、顔アップが少なければ学校行事と判定される（Ｓ２６）。学校行事では、遠くから撮影する場合が多くアップ写真が減るので、学校行事と判定している。なお、学校行事は、午前中または午後の早めの時間が多いことから、時間帯で判定するようにしても良い。
【００３６】
ステップＳ２２における判定の結果、撮影日時情報が所定時間に集中していなかった場合には、風景画像が多いか否かの判定を行う（Ｓ２４）。このステップでは、顔判定部２ａによって顔を検出することができかたか否かで風景画像か否かの判定を行う。この判定の結果、風景画像が多かった場合には、旅行と判定する（Ｓ２７）。
【００３７】
この場合は、所定時間に集中しておらず、風景画像が多いからである。なお、旅行か否かの判定に当たっては、日をまたいで何枚も撮影していることなどを条件として付加してもよく、あるいは、撮影位置情報を利用し、普段いる場所との差異を見出して、旅行判定としてもよい。どこのカテゴリか判別できない場合、すなわち、ステップＳ２４において、風景画像が多くはなかった場合には、その他に分類する（Ｓ２８）。
【００３８】
ステップＳ２５、Ｓ２６、Ｓ２７、Ｓ２８において、それぞれテーマ（シーン）のカテゴリが決まると、画像データにこのカテゴリを関連付けて画像記録部３に記録する（Ｓ２９）。続いて、旅行、学校行事、パーティ等のテーマに応じてコンテンツの取得を行う（Ｓ３１）。
【００３９】
このステップ３１では、予めデータベース部４に記録されているコンテンツや、また通信部９を介してインターネットに接続された状況で、画像のテーマに応じて、コンテンツを取得する。このステップＳ３１の詳細は、図４を用いて後述する。テーマに応じたコンテンツを取得するとリターンし、ステップＳ１から実行する。
【００４０】
ステップＳ１１における判定の結果、再生開始であった場合には、再生表示を行う（Ｓ１２）。このステップでは、画像記録部３に記録されている画像データに基づいて、サムネイル画像の再生表示等を行う。続いて、画像が指定された場合には、その指定画像を拡大表示する（Ｓ１３）。特に指定がない場合には、このステップはスキップする。
【００４１】
次に、再生表示を行っている画像を含む画像群のスライドショーを行うか否かの判定を行う（Ｓ１４）。このステップでは、カメラ１０の操作部材により、スライドショーが選択されたか否かについて判定をする。この判定の結果、スライドショーが選択されていなかった場合にはリターンし、ステップＳ１から実行する。
【００４２】
ステップＳ１４における判定の結果、スライドショーを行う場合には、次に、再生状況の判定を行う（Ｓ１５）。このステップでは、現在再生を行っている位置情報をＧＰＳ部７ｂより取得し、また現在の日時情報を時計部７ａより取得する。続いて、テーマ判定を行う（Ｓ１６）。
【００４３】
このステップ１６では、スライドショーの対象となる画像群のテーマを、画像データに添付されている情報から取得する。前述したように、ステップＳ２９において、旅行、学校行事、パーティ等のテーマが画像データと共に記録されているので、この情報を読み出すことにより、テーマを取得することができる。
【００４４】
テーマ判定を行うと、次に、テーマと状況に基づいてスライドショーを実行する（Ｓ１７）。すなわち、ステップＳ１５において再生状況を取得し、またステップＳ１６において画像群のテーマを取得しているので、これらの情報に基づいて、画像群とステップＳ３１において取得したコンテンツを適宜組み合わせて、状況に応じたスライドショーを実行する。このスライドショーの詳細については、図５を用いて後述する。スライドショーを行うとリターンし、ステップＳ１から実行する。
【００４５】
次に、ステップＳ３１におけるテーマに応じてコンテンツ取得の動作を、図４に示すフローチャートを用いて説明する。まず、画像群の画像データのテーマが旅行か否かの判定を行う（Ｓ１０１）。このステップでは、ステップＳ２７においてテーマが旅行と判定されステップＳ２９において記録されているか否かの判定を行う。
【００４６】
このステップＳ１０１における判定の結果、テーマが旅行であった場合には、その時の旅先の地図、パンフレット等を取得する（Ｓ１０２）。このステップでは、画像データに添付されている撮影位置情報に基づいて、インターネット等を通じて外部データベースから、旅先の地図やパンフレット等、その旅行に関連する情報を入手する。
【００４７】
ステップＳ１０１における判定の結果、テーマが旅行でなかった場合には、次に、テーマが学校行事か否か判定を行う（Ｓ１０３）。このステップでは、ステップＳ２５においてテーマが学校行事と判定されステップＳ２９において記録されているか否かの判定を行う。
【００４８】
ステップＳ１０３における判定の結果、テーマが学校行事であった場合には、画像データに添付されている撮影位置情報に基づいて学校を特定し、この学校のホームページ（ＨＰ）を、インターネット等を通じて外部のデータベースから検索し、このＨＰの内容（例えば、校歌やモットー等）を取得する。また、同様にソーシャルネットワーキング（ＳＮＳ）での書き込みを取得する。その他、学校に関する情報を入手する。
【００４９】
ステップＳ１０３における判定の結果、テーマが学校行事でなかった場合には、次に、テーマがパーティか否かの判定を行う（Ｓ１０５）。このステップでは、ステップＳ２６においてテーマがパーティと判定されステップＳ２９において記録されているか否かの判定を行う。
【００５０】
ステップＳ１０５における判定の結果、テーマがパーティであった場合には、その時、その地域での流行音楽を取得する（Ｓ１０６）。このステップでは、画像データに添付されている撮影日時情報と撮影位置情報を読出し、この情報に基づいて、インターネット等を通じて外部データベースより、流行音楽を取得する。
【００５１】
このようにステップＳ１０１、Ｓ１０３、Ｓ１０５におけるテーマを判定し、判定結果に応じて必要なコンテンツを取得している。このように分けているのは、テーマによって、必要なコンテンツは異なっているからである。例えば、旅行の場合には、地図等は重要であるが、学校行事やパーティ等では、どこに行ったかはあまり重要ではなく、もっと、状況を想起させるコンテンツが相応しいからである。
【００５２】
ステップＳ１０２、Ｓ１０４、Ｓ１０６において各コンテンツを取得し、またはステップＳ１０５においてＮｏであった場合には、撮影日時近くの出来事や流行等を、外部データベースから取得する（Ｓ１０７）。ここで取得するコンテンツは、例えば、新聞の見出し等を取得する、軽いテキストファイルでも良い。
【００５３】
このように、本実施形態においては、画像データが未分類の際には、ステップＳ３１において、テーマに応じたコンテンツを取得しておき、将来、画像データの再生を楽しむときに、これらのコンテンツを利用できるように、データベース部４に記録している。
【００５４】
次に、ステップＳ１７におけるテーマと状況からスライドショーの動作について、図５に示すフローチャートを用いて説明する。このフローに入ると、まず、ステップＳ１６において取得したテーマが旅行か否かを判定する（Ｓ２０１）。
【００５５】
このステップＳ２０１の判定の結果、テーマが旅行であった場合には、距離差が大か否かの判定を行う（Ｓ２１１）。このステップでは、画像データに添付されている撮影位置情報とステップＳ１５で取得した再生位置情報から、両者の距離が所定（例えば、５００ｋｍ）、以上離れているか否かの判定を行う。
【００５６】
このステップＳ２１１における判定の結果、所定距離以上離れていなかった場合には、元のフローにリターンする。一方、距離差が大であった場合には、その時の旅先の地図をスライドショーの中に挿入する（Ｓ２１２）。この地図はステップＳ１０２において取得したものを使用する。
【００５７】
続いて、撮影から１年以上経過しているか否かの判定を行う（Ｓ２１３）。このステップでは、画像データに添付されている撮影日時情報とステップＳ１５で取得した再生日時情報から、両者の間隔が１年以上離れているか否かの判定を行う。この判定の結果、１年以上経過していなかった場合には、元のフローに戻る。
【００５８】
一方、ステップＳ２１３の判定の結果、１年以上経過していた場合には、パンフレット画像等をスライドショー中に挿入する（Ｓ２１４）。このパンフレット画像は、ステップＳ１０２において取得したものを使用する。パンフレット画像等を挿入すると、元のフローに戻る。
【００５９】
このように、本実施形態においては、テーマが旅行であった場合には、再生時と撮影時の距離差が、所定の距離以上ならば、どこに行ったかの説明用に地図を表示するようにしている。また、撮影時から１年以上経過した場合は、遠い場所でもあり思い出が風化しやすいので、思い出したいことが沢山出て来るように、撮影場所に関する情報を表示している。これらのコンテンツの中には、撮影していないけれど、旅先で眼にしたものなどが含まれ、旅行を思い出す際に役立つ。また、これらのコンテンツは、実際には見てないものが含まれている可能性があるが、撮影時より時間が経過しているので許容できる。なお、ステップＳ２１１やステップＳ２１３における判定値は、適宜、設定すればよい。
【００６０】
ステップＳ２０１における判定の結果、テーマが旅行でなかった場合には、次に、ステップＳ１６において取得したテーマが学校行事か否かの判定を行う（Ｓ２０２）。この判定の結果、学校行事であった場合には、撮影時から１０年が経過しているか、または距離差が大か否かの判定を行う（Ｓ２２１）。
【００６１】
このステップＳ２２１では、画像データに添付されている撮影日時情報とステップＳ１５で取得した再生日時情報から、両者の間隔が１０年以上離れているか否かの判定を行う。また、画像データに添付されている撮影位置情報と再生位置情報から距離差が所定値（例えば、５００Ｋｍ）より大か否かの判定を行う。この判定の結果、両条件を満たさない場合には、元のフローにリターンする。
【００６２】
ステップＳ２２１における判定の結果、いずれか一方の条件を満たした場合には、学校ＨＰの内容をスライドショー中に挿入する（Ｓ２２２）。このステップでは、ステップＳ１０４で取得した学校のＨＰの内容、例えば、校歌やモットー、またＳＮＳでの書き込みを挿入する。このステップを行うと、元のフローにリターンする。
【００６３】
このように、本実施形態においては、テーマが学校行事であった場合、所定の条件を満たした場合には、学校ＨＰから取得した内容を挿入している。学校行事は、定期的に行われるものであることから、あまり頻繁に思い出すものではない。しかし、１０年位経過すると、卒業して懐かしいこともでてくることから、学校のＨＰから取得しておいたコンテンツを補助画像として挿入することにより、回想の際に役立てるようにしている。
【００６４】
次に、ステップＳ２０２における判定の結果、テーマが学校行事でなかった場合には、テーマがパーティか否かの判定を行う（Ｓ２０３）。このステップでは、画像データに添付されている撮影日時情報とステップＳ１５で取得した再生日時情報から、両者の間隔が３年以上離れているか否かの判定を行う。この判定の結果、３年以上経過していなかった場合には、元のフローに戻る。
【００６５】
一方、ステップＳ２３１における判定の結果、撮影時から３年以上経過している場合には、その時、その地域で流行していた音楽をスライドショーの中で流す（Ｓ２３２）。このステップでは、ステップＳ１０６で取得した音楽を流す。音楽を流すと、元のフローに戻る。
【００６６】
このように、本実施形態においては、パーティの場合に撮影から３年位経過していると、その当時その地域で流行していた音楽を流している。結婚式などのパーティは、頻繁にあるものではないので、３年位で懐かしくなる。したがって、その頃はやった音楽などをＢＧＭとして流すことにより雰囲気つくりを行う。勿論、撮影された被写体に喪服が多い場合には、このことを判定し、流行音楽を流すことを止めるようにしても良い。なお、喪服が多いかどうかの判定としては、顔検出した人物の下部が所定範囲で黒く、かつ顔判定部２ａによってその人物の表情が笑顔でないか等によって判定する。
【００６７】
次に、ステップＳ２０３における判定の結果、テーマがパーティでなかった場合には、撮影から５年以上経過、または距離差が大か否かの判定を行う（Ｓ２０５）。このステップでは、撮影日時情報および再生日時情報から５年以上経過しているか否かを判定し、撮影位置情報と再生位置情報から距離差が所定値（例えば、５００Ｋｍ）以上か否かを判定する。
【００６８】
ステップＳ２０５における判定の結果、いずれの条件も満たさない場合には、そのまま元のフローに戻る。一方、両条件を満たした場合には、撮影日時近くの出来事、流行などを、スライドショーに挿入する（Ｓ２０５）。このステップでは、ステップＳ１０７で取得した新聞（ニュース）等の見出しや、流行などをテキストで、テロップを流すように表示する。ステップＳ２０５を終えると元のフローに戻る。
【００６９】
以上、説明したように、本発明の第１実施形態においては、撮影したシーン（テーマ）に応じて、適切なコンテンツを取得し（Ｓ１０２、Ｓ１０４、Ｓ１０６、Ｓ１０７）、さらに、再生時の状況を踏まえて、これらのコンテンツを再生するか否かを決めている。このため、鑑賞者が、煩雑さや鬱陶しさを感じることなく、思い出に浸ることができる画像再生が可能となる。
【００７０】
なお、本実施形態においては、テーマは、旅行、学校行事、パーティ、その他の４分類であったが、この分類に限られず、適宜、増加してもよく、また減少させても良い。また、ステップＳ２１１、Ｓ２１３、Ｓ２２１、Ｓ２３１、Ｓ２０５での判定値はこれに限らず、適宜、変更しても良い。
【００７１】
次に、本発明の第２実施形態について、図６および図７を用いて説明する。第１実施形態においては、スライドショーの対象となる画像群をサムネイル表示等によって選択していたが、第２実施形態においては、撮影時と撮影場所の関係を示す図から選択するようにしている。また、第１実施形態においては、ステップＳ３１において、事前に、コンテンツを取得しデータベース部４に記録していたが、第２実施形態においては、スライドショーを行う際に、インターネット等を通じて、コンテンツを取得するようにしている。
【００７２】
本実施形態の構成は、第１実施形態とほぼ同様であるが、図３に示したカメラ制御のフローチャート中、ステップＳ２０からステップＳ３１におけるコンテンツの取得は、スライドショーの実行中に行うようにしている点が相違する。以下、相違点を中心に説明する。
【００７３】
まず、図７を用いて画像群の選択を説明する。表示部８に表示されているのは、画像記録部３に記録されている画像について、撮影日時と撮影位置との関係を示す図である。ここで、各円は、同一の撮影日時・撮影位置であり（ただし、テーマが旅行の場合には、数日に亘る）、各円にカーソルを合わせると、そのテーマの代表画像４１が表示される。
【００７４】
したがって、画像記録部３に記録されている画像をスライドショーで鑑賞する際には、鑑賞者は、表示部８に表示されている円を選択すればよい。すなわち、昔でかつ遠くいったときの画像群を鑑賞したい場合には、円４３を選択してスライドショーを開始させ、また、最近でかつ普段の場所での画像群を鑑賞したい場合には、円４５を選択してスライドショーを開始させる。
【００７５】
次に、第２実施形態における思い出再生の動作を、図６に示すフローチャートを用いて説明する。まず、画像群の決定を行う（Ｓ３０１）。このステップでは、図７の表示部８に示す円の中から、鑑賞する画像群をカーソル等で指示し、決定する。なお、図７では、選択された画像グループの代表画像が表示されている例を示している。続いて、撮影場所および撮影日時の判定を行う（Ｓ３０２）。このステップでは、画像データに添付されている撮影位置情報および撮影日時情報を取得する。
【００７６】
続いて、再生場所および再生日時判定を行う（Ｓ３０３）。このステップでは、カメラ１０のＧＰＳ部７ｂから現在の位置情報を取得し、また時計部７ａから現在の日時情報を取得する。この判定が終わると、次に、撮影時から３年以上経過しているか否かの判定を行う（Ｓ３０４）。
【００７７】
ステップＳ３０４における判定は、ステップＳ３０２において取得した撮影日時情報と、ステップＳ３０３において取得した再生時の日時情報に基づいて、３年以上経過したか否かの判定を行う。なお、この判定値は、３年に限らず、適宜、変更しても良い。
【００７８】
ステップＳ３０４における判定の結果、３年以上経過していた場合には、次に、撮影場所から再生場所まで５００Ｋｍ以上、離れているか否かの判定を行う（Ｓ３０５）。この判定の結果、５００Ｋｍ以上離れていた場合には、インターネット網を介して外部データベースに接続し、撮影場所の地図を取得する（Ｓ３０６）。
【００７９】
撮影場所の地図を取得すると、またはステップＳ３０５において５００Ｋｍ離れていないと判定された場合には、次に、当時の話題を検索する（Ｓ３０７）。このステップでは、画像データに添付されている撮影日時情報に基づいて、外部データベースから当時の新聞記事（ニュース）等のテキスト情報を取得する。
【００８０】
次に、ステップＳ３０４における判定の結果、撮影時から３年以上経過していなかった場合には、ステップＳ３０５と同様に、撮影場所から５００Ｋｍ以上離れているか否かの判定を行う（Ｓ３１２）。この判定の結果、５００Ｋｍ以上離れていた場合には、ステップＳ３０６と同様に、撮影場所の地図を取得する（Ｓ３１２）。
【００８１】
ステップＳ３０７またはステップＳ３１２が終わると、取得したコンテンツをスライドショーに挿入する（Ｓ３１３）。すなわち、本実施形態においては、撮影場所から５００Ｋｍ以上離れている場合には、撮影場所が分かるように撮影場所の地図をスライドショー中において表示している。また、撮影時から３年経過している場合には、撮影時の話題を表示するようにしている。スライドショーにコンテンツを挿入すると、次に、撮影画像群を順次再生する（Ｓ３１４）。
【００８２】
このように、本発明の第２実施形態においても、再生場所や再生日時等の再生状況を判定し、再生状況に応じて、再生表示するコンテンツを決定している。このため、鑑賞者が、煩雑さや鬱陶しさを感じることなく、思い出に浸ることができる画像再生が可能となる。
【００８３】
以上、説明したように、本発明の各実施形態においては、画像群が撮影されたい時間（撮影日時）、撮影された場所、再生日時や再生位置等の再生状況を考慮して複数の画像を再生する場合のコンテンツ（付加情報）の切換を行うようにしている。離れた場所の画像再生時には地図を表示し（離れていない場所では、地図は大きなお世話となり鬱陶しい）、時間が経過していれば、話題などをテロップで流せるようにして、鑑賞者に撮影画像を見せながら、思い出を想起させる補助コンテンツを見せ、また聞かせたりすることが可能となる。
【００８４】
なお、本実施形態においては、画像再生装置として、カメラを用いた例を示したが、画像再生装置としては、カメラのような撮像装置に限らず、パーソナルコンピュータ（ＰＣ）やテレビ（ＴＶ）でも、勿論かまわない。ＰＣやＴＶの場合には、撮影部２等を有していないので、撮像装置で撮影した画像データを取り込めば良い。
【００８５】
また、本実施形態においては、撮影のための機器として、デジタルカメラを用いて説明したが、カメラとしては、デジタル一眼レフカメラでもコンパクトデジタルカメラでもよく、また、携帯電話や携帯情報端末（ＰＤＡ：Personal Digital Assist）等に内蔵されるカメラでも勿論構わない。
【００８６】
本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【図面の簡単な説明】
【００８７】
【図１】本発明の第１実施形態に係わるカメラの構成を示すブロック図であり、（ａ）は構成を示し、（ｂ）は画像分類の仕方を示す図である。
【図２】本発明の第１実施形態において、撮影画像の再生表示を行っている様子を示す図であり、（ａ）は撮影画像であり、（ｂ）は撮影から日が経っていない時点で友人に見せている様子を示し、（ｃ）は撮影から日が経った時点で友人に見せている様子であり、（ｄ）は補助用のコンテンツを示す図である。
【図３】本発明の第１実施形態に係わるカメラの制御動作を示すフローチャートである。
【図４】本発明の第１実施形態において、テーマに応じてコンテンツ取得の動作を示すフローチャートである。
【図５】本発明の第１実施形態において、テーマと状況からスライドショーの動作を示すフローチャートである。
【図６】本発明の第２実施形態において、思い出再生の動作を示すフローチャートである。
【図７】本発明の第２実施形態において、再生表示の際の画像群選択の様子を示す図である。
【符号の説明】
【００８８】
１・・・制御部、２・・・撮影部、２ａ・・・顔判定部、３・・・画像記録部、４・・・データベース（ＤＢ）部、５・・・画像分類部、６・・・スライドショー部、７ａ・・・時計部、７ｂ・・・ＧＰＳ部、８・・・表示部、９・・・通信部、１０・・・カメラ、２１・・・撮影者、２２・・・友人、２３・・・友人、３１・・・画像群、３３・・・コンテンツ、３３ａ・・・地図、３３ｂ・・・商品広告、４１・・・代表画像、４３・・・円、４５・・・円
【図１】
0005078723.tif 000002
【図２】
0005078723.tif 000003
【図３】
0005078723.tif 000004
【図４】
0005078723.tif 000005
【図５】
0005078723.tif 000006
【図６】
0005078723.tif 000007
【図７】
0005078723.tif 000008